(57)【要約】【課題】従来、目覚まし時計とその付帯される装置では、低コストで毎日時間通りに起きて日に浴びるように促進されるものがなかった。 【解決手段】本発明によれば、窓際に簡単に設置するだけで、予約タイマーで設定した時間に目覚まし時計が鳴り、モーターの回転によって自動でカーテンやブラインドが開く、低コストで安全性が高く、環境に配慮した目覚まし装置が提供される。【選択図】  図１
2011164038.tif 000002
【特許請求の範囲】
【請求項１】
本発明は、目覚まし時計と予約タイマーによってカーテンを自動で巻き取りながら開く装置を提供することを目的とする目覚まし装置。
【請求項２】
本発明は、ウインチを内蔵したタイマー制御装置をカーテンレールの上端に設置し、カーテンの上端をつまみ、カーテンレールをスライドさせるようにケーブルで自動で巻き取りながら開く装置を提供することを目的とする目覚まし装置。
【請求項３】
本発明は、ウインチを内蔵した自動巻き取り装置をカーテンの下部に取り付けたパイプ内部の両端に設置し、両端に設置したレールに沿って、ケーブルを巻き取りながらカーテンを開く装置を提供することを目的とする目覚まし装置。
【請求項４】
請求項１または請求項２において、前記自動巻き取り手段は、予約タイマーで作動するウインチで巻き取ることによってカーテンを開くことを特徴とする目覚まし装置。
【請求項５】
請求項１〜請求項４のうちのいずれか一項において、覚醒制御手段は、タイマー予約した時刻になると、目覚まし時計が鳴り、就寝者が起床して目覚まし時計のアラームを止めない限り一定時間は鳴り続けることを特徴とする目覚まし装置。
【請求項６】
請求項１〜請求項５のうちのいずれか一項において、覚醒制御手段と自動巻き取り手段は、タイマー予約した時刻になると、通電オンになり、低コストで環境に配慮した機能を特徴とする目覚まし装置。
【請求項７】
請求項１〜請求項６のうちのいずれか一項において、覚醒制御手段と自動巻き取り手段は、一度タイマー予約をした時間を記憶し、予約タイマーの時間を変更しなければ翌朝も同じ時刻になると自動的に目覚まし時計のアラームが鳴り、自動巻き取り装置が稼働することを特徴とする目覚まし装置。
【発明の詳細な説明】
【技術分野】
【０００１】
本発明は、モーターによって、カーテンやブラインドを自動で巻き取りながら開く装置を提供することを目的とする目覚まし装置に関する。
【背景技術】
【０００２】
従来、先進国では電気の普及に伴い、深夜まで起きて朝晩が逆転した生活習慣によって、日光に当たる時間が少なくなり、それによって自律神経失調症や不眠症状に悩む人が増加しているという問題があった。
【０００３】
その為に、音の大きな目覚まし時計や、動く目覚まし時計、紫外線を照射する装置など、さまざまな工夫がなされてきた。
【０００４】
また、過去にブラインドやシャッター用に、目覚まし用の音により、覚醒に必要な太陽光を室内に取り入れて就寝者を覚醒させる目覚まし装置が提案されたことがある。（特許文献１参照）
【先行技術文献】
【特許文献】
【０００５】
【特許文献１】特開２００５−３１２４７６  公報
【発明の概要】
【発明が解決しようとする課題】
【０００６】
しかし、従来の目覚まし時計によって起きることができても、就寝者が自力で起きてカーテンを開けなければならず、確実に毎日自動で決めた時刻に太陽光に当たれるようになるという問題はなかなか解決されなかった。
【０００７】
また、日を浴びる効果を得る為の紫外線を照射する装置は、机の上では場所も多く取り、毎回取り出しても大きな装置を設置する手間があり、毎日のように手軽に使えるという利便性がなかった。
【０００８】
特許文献１においては、ブラインドやシャッター用の装置で、通常のカーテンには向かない構造であり、就寝者が目覚まし時計をかけ忘れて音が鳴らなければ作動せず、さらには今あるカーテンを利用した低コストで手軽なものではないところに難点があった。
【課題を解決するための手段】
【０００９】
したがって本発明に係る目覚まし装置の目的は、目覚まし時計のアラームを鳴らす予約タイマー手段と、予約時刻になるとモーターの回転により自動で巻き取りながらカーテンを開ける自動巻き取り手段と、通電オン・オフを切り替えて低コストな制御装置とを具備することを特徴とするものである。
【発明の効果】
【００１０】
本発明によって、予約した時刻にカーテンが自動で開かれ、日の光を浴びることで朝晩逆転の生活のリズムを正常に戻すことが可能な目覚まし装置を提供することができる。
【００１１】
また本発明おいて、カーテンが開くと同時に、大きな音の目覚まし時計を、寝床から離れた窓際に設置することによって、まず就寝者が起き上がって目覚まし時計のアラームを止めて、その場で太陽光を浴びるという一連の流れが自然と促され、徐々に昼夜逆転の習慣を正常に戻すしくみを提供できる。
【００１２】
また本発明では、例えば日中など目覚まし時計の必要のない時間帯は通電をオフできるよう、通電制御装置により必要な時刻だけ電源が入るタイマー機能によって、低コストで環境に配慮した効果が得られるなど経済的で、しかも安全性を向上させることが出来る。
【００１３】
また、一度タイマー予約した設定は、就寝者が変更しない限り、前日に設定した時刻に同じ動作を繰り返し行うよう設定されるので、目覚まし時計のアラームを毎日設定する手間が省け、就寝者が忘れても必ず本発明を実施できるという効果が得られる。 
【００１４】
また本発明においては、市販されている今までのカーテンやブラインドを利用しながら本発明を実施することができ、取り付け設置も簡単なので、多くの顧客獲得が見込まれ、工場生産も低コストで実現可能なものである。
【図面の簡単な説明】
【００１５】
【図１】本発明の実施形態を示す全体の正面図。
【図２】本発明の他の実施例を示す全体の正面図。
【図３】本発明の他の実施例を示す全体の正面図。
【図４】本発明の他の実施例を示す全体の正面図。
【図５】本発明の実施形態における目覚まし装置の全体の要部を示すブロック図。
【発明を実施するための形態】
【００１６】
以下、本発明の実施形態を図１〜図５に基づいて説明する。
【００１７】
図１は、本発明の実施形態を示す全体の正面図である。
【００１８】
まず、図１において目覚まし時計１はカーテンを止めるひも掛けの近くに壁掛け設置、または目覚まし時計１の裏面もしくは上面に紐やフックを取り付けて、カーテンのひも掛けに掛けるなどする。
【００１９】
そして、クリップ４を先端に取り付けたケーブル３を、巻き取り装置２からカーテンレール５上に真っ直ぐ引き伸ばして窓の中央までひっぱり、閉じているカーテンの右上端部をクリップ４で挟む。
【００２０】
次に、巻き取り制御装置とカーテンを巻き取るためのタイマー付き制御装置及びモーターで回転する、巻き取り装置２をカーテンレール５の左端上部に取り付け設置する。
【００２１】
前記クリップ４を先端に取り付けたケーブル３は、巻き取り装置２のウインチがタイマーによって稼動すると、カーテンの端を挟んだまま巻き取り装置２の付近まで巻き取られ、自動的にカーテンが開く仕組みになる。
【００２２】
次に、その他の本体の実施例について図２で説明する。図２においては、目覚まし時計と予約機能及び巻き取り装置が合体しているので、設置が簡単であり、また目覚ましの距離が上になることで、背伸びをして目覚まし時計を止める姿勢になるので、体を伸ばす運動も自然と行えるメリットがある。
【００２３】
また、カーテンが２枚あるタイプには、もう一つ本体を同じように設置する、もしくは巻き取り機能を備えた装置を配線し設置するだけで個数を増減できる。
【００２４】
次に、その他の本体の実施例について図３で説明する。図３は、その他の本発明の実施例であるが、下から上にカーテンを巻き取って太陽光を取り入れる構成となる。
【００２５】
図３においては、まず目覚まし時計と内部にモーターを備えた巻き取り装置を一つに合体させカーテンレール５上の左端に設置し、さらにカーテンレール右端には、内部にモーターを備えた巻き取り装置９をそれぞれカーテンレール５の両端に設置し、通電線をカーテンレール５上に配線する。
【００２６】
次に、カーテン７の下の裾の部分にパイプ管８を貼り付け固定する。
【００２７】
前記パイプ管８の両端にウインチから引き延ばしたケーブル３を、それぞれパイプ管８の両端にある固定部１１に巻き付け固定、もしくはケーブル３の先端を内部に通すなどして固定する。
【００２８】
カーテン７の両サイドには、ウインチから伸ばしたケーブル３をスライド移動するためのレール１０を備えており、カーテンレール５上の両端に、それぞれ設置した装置内部のウインチを巻き取ることで、カーテンが上がっていく仕組みにするなど、縦横自在で本発明のシステムを実施することが可能である。
【００２９】
次に、図４は、本発明の他の実施例における全体の正面図であり、カーテン以外の例えばブラインドを用いても本発明の装置を利用することが可能である。
【００３０】
まず、図１で説明した目覚まし時計１をカーテンレールの端上部に設置し、内部にモーターを備えたモーター装置１２を、ブラインドのスラットと呼ばれる水平な羽の部分の回転を操作する、ポールの上部に設置する。
【００３１】
通常は、前記ポールを手で回すことで、スラットが内側や外側に回転し、光の調整を行うが、モーター装置１２をカーテンレール５に動かないように固定設置し、モーター装置１２のモーター部分を前記ポールの上部に覆い設置することで、内部のモーターを回転させることによって自動でポールを回し、ブラインドでも簡単に予約タイマーで日の光を浴びることが可能になる。
【００３２】
次に、図５は本発明の実施例における制御装置と自動巻き取り装置の要部を示すブロック図である。
【００３３】
本発明に係る装置の要部には、モーター１５によってケーブル３を巻き取るウインチ１４と、このウインチ１４への通電を制御する制御装置２０とを備え、予約タイマー装置１７を設けた構成としており、図１〜図４の実施例において、配置は自在であり、できるだけ小型に収まるよう配置することが望ましい。
【００３４】
前記のウインチ１４は、予約タイマースイッチがオンになり、モーター１５が稼働し回転することで、ウインチ１４がケーブル３を巻き取っていく。
【００３５】
また予約タイマー装置１７が作動すると、モーター１５によって、ウインチ１４が稼働する。
【００３６】
そして、モーター１５の横には、ケーブル３に当たらない程度の位置に過巻き取り検知センサ−１３が配置され、巻き取られたケーブル３の先端にクリップ４が当たると、過巻き取り検知センサ−１３が反応する、もしくはウインチ１４がそれ以上ケーブル３を巻き取れなくなった時に、制御装置２０が作動し、カーテンを巻き取る動作が停止される。
【００３７】
また、目覚まし時計のアラームは別の回路なので、就寝者が起きて目覚まし時計のアラームを止めない限りは鳴りやむことはない。
【００３８】
また通電オフスイッチ１９を設け、カーテンを開く操作が完了した時点で通電がオフになり、さらに通電オンスイッチ１８を設け、翌朝の予約時刻前に通電させることで自由に通電の時刻を決めることができる。
【符号の説明】
【００３９】
１    目覚まし時計装置
２    巻き取り装置
３    ケーブル
４    クリップ
５    カーテンレール
６    通電線
７    カーテン
８    パイプ管
９    巻き取り装置
１０    レール
１１    固定部
１２    モーター装置
１３    過巻き取り検知センサ−
１４    ウインチ
１５    モーター
１６    予約タイマー操作部
１７    予約タイマー装置
１８    通電オンスイッチ
１９    通電オフスイッチ
２０    制御装置
２１    ディスプレイ
【図１】
2011164038.tif 000003
【図２】
2011164038.tif 000004
【図３】
2011164038.tif 000005
【図４】
2011164038.tif 000006
【図５】
2011164038.tif 000007